(57)【要約】【課題】アジャスターボルト頭部の高さ位置を下げ、走行レール等を他の高さ調整装置にて支持した状態で、破損などの不具合の生じた高さ調整装置のみの取り外し、交換を可能とした高さ調整装置を提供すること。【解決手段】アジャスターパッド１と、このアジャスターパッド１に対して下端部を抜け止めとし、かつ回動可能にしてアジャスターパッド１に支持したアジャスターボルト２とより構成する高さ調整装置において、アジャスターボルト２の下端部をアジャスターパッド１内に挿入可能とすることで、アジャスターパッド１より上部に突出するアジャスターボルト２の長さを調整できるようにする。【選択図】図１
2008069513.tif 000002
【特許請求の範囲】
【請求項１】
アジャスターパッドと、該アジャスターパッドに対して下端部を抜け止めとし、かつ回動可能にして前記アジャスターパッドに支持したアジャスターボルトとより構成する高さ調整装置において、アジャスターボルトの下端部をアジャスターパッド内に挿入可能とすることで、アジャスターパッドより上部に突出するアジャスターボルトの長さを調整できるように構成したことを特徴とする高さ調整装置。
【請求項２】
アジャスターボルトの上部位置に支持物を支持し、かつ回動操作用の回動操作片をアジャスターボルトと一体に形成したことを特徴とする請求項１記載の高さ調整装置。
【請求項３】
アジャスターパッドを、カップ形とし、内部に挿通するにアジャスターボルトの底面と床面との空間長を、アジャスターボルトの回動操作片上に突出するボルト上端長よりも大となるように構成したことを特徴とする請求項１又は２記載の高さ調整装置。
【請求項４】
アジャスターボルトのアジャスターパッドに接する側に、アジャスターボルトによる支持物の支持高さを調整するための高さ調整用ナット及び固定用ナットをダブルナット状に螺合したことを特徴とする請求項１、２又は３記載の高さ調整装置。
【発明の詳細な説明】
【技術分野】
【０００１】
本発明は、高さ調整装置に関し、特に、床面レベルに対して水平度、或いは所定の高さや角度にて調整して床面上に棚、レール等の支持物を支持するとともに、高さ調整装置の破損時等においてもレール等の支持物を持ち上げずに簡易に交換できるようにした高さ調整装置に関するものである。
【背景技術】
【０００２】
従来、特に限定されるものではないが、例えば、スタッカークレーンなどにおいて、自動倉庫内をスタッカークレーンが予め定めた走行路（コース）に導かれて走行する場合、このスタッカークレーンの走行路に沿って走行レールを敷設している。
しかし、この走行レールを敷設するコンクリート床面の水平レベルは必ずしも一定ではないので、走行レールの水平レベルを保持するため、図２に示すように、走行レールを所定の高さ位置になるよう敷設するように、複数の高さ調整装置（アジャスター）を床面上に配設し、これらの高さ調整装置を用いて走行レールの高さレベルを一定となるように支持している。
【０００３】
ところで、従来より汎用されている高さ調整装置として、例えば、図３に示すような構造のものがある。
この高さ調整装置は、カップ形をしたアジャスターパッド１にアジャスターボルト下部の一部をかしめて抜け止めとし、かつこれを回転可能にして挿通し、アジャスターボルト２の下部位置、特に、アジャスターパッド１に接する位置に六角ボルト頭部形状の回動操作片２１を一体的に形成し、アジャスターボルト２にかかる荷重をアジャスターパッド１にて支持するとともに、ボルトの上部に螺合する高さ調整用ナット３を介してレール等の支持物の高さを調節可能にして支持するように構成している。
【０００４】
しかしながら、走行レールのように長期間に亘って使用する際、高さ調整装置にかかる過負荷により破損したり、腐食の問題が生じることがある。このように破損或いは腐食により高さ調整装置にかかる荷重を適正に支持できなくなるような場合には、安全性の点から鑑みて高さ調整装置を新しいものと交換する必要が生じる。
【０００５】
このような場合、従来の高さ調整装置を用いた走行レールの支持構造の点から鑑みて、走行レールを敷設した状態では、図３に示すように、支持位置を調整できてもアジャスターボルトの全長を縮小させることができないので、すなわち、ボルト頭部の高さ位置を下げることはできないので、破損或いは腐食した高さ調整装置のみを走行レール下部から取り外すことができない。従って、高さ調整装置にて支持された走行レールを一端取り外し、破損或いは腐食した不具合の生じた高さ調整装置を取り外した後、新しいものと交換するようにしている。
このため、不具合の生じた高さ調整装置の交換には多大の時間と労力を要し、かつ高さ調整装置の交換時においては長時間に亘ってスタッカークレーンの運行を停止しなければならないという問題があった。
【発明の開示】
【発明が解決しようとする課題】
【０００６】
本発明は、従来の高さ調整装置の有する問題点に鑑み、床面上に配設するアジャスターパッドに、抜け止め式回転可能に挿通するアジャスターボルト、特に、アジャスターパッドより上方に突出するアジャスターボルトの全長を縮小させることで、アジャスターボルト頭部の高さ位置を下げ、走行レール等を他の高さ調整装置にて支持した状態で、破損などの不具合の生じた高さ調整装置のみの取り外し、交換を可能とした高さ調整装置を提供することを目的とする。
【課題を解決するための手段】
【０００７】
上記目的を達成するため、本発明の高さ調整装置は、アジャスターパッドと、該アジャスターパッドに対して下端部を抜け止めとし、かつ回動可能にして前記アジャスターパッドに支持したアジャスターボルトとより構成する高さ調整装置において、アジャスターボルトの下端部をアジャスターパッド内に挿入可能とすることで、アジャスターパッドより上部に突出するアジャスターボルトの長さを調整できるように構成したことを特徴とする。
【０００８】
この場合において、アジャスターボルトの上部位置に支持物を支持し、かつ回動操作用の回動操作片をアジャスターボルトと一体に形成することができる。
【０００９】
また、アジャスターパッドを、カップ形とし、内部に挿通するにアジャスターボルトの底面と床面との空間長を、アジャスターボルトの回動操作片上に突出するボルト上端長よりも大となるように構成することができる。
【００１０】
また、アジャスターボルトのアジャスターパッドに接する側に、アジャスターボルトによる支持物の支持高さを調整するための高さ調整用ナット及び固定用ナットをダブルナット状に螺合することができる。
【発明の効果】
【００１１】
本発明の高さ調整装置によれば、アジャスターパッドと、該アジャスターパッドに対して下端部を抜け止めとし、かつ回動可能にして前記アジャスターパッドに支持したアジャスターボルトとより構成する高さ調整装置において、アジャスターボルトの下端部をアジャスターパッド内に挿入可能とすることで、アジャスターパッドより上部に突出するアジャスターボルトの長さを調整できるように構成することにより、アジャスターパッドより上部に突出するアジャスターボルトの長さを縮小させることができ、他の高さ調整装置にて支持された支持物を取り除くことなく、不具合の生じた高さ調整装置を簡易に、迅速に交換することができる。
【００１２】
また、アジャスターボルトの上部位置に支持物を支持し、かつ回動操作用の回動操作片をアジャスターボルトと一体に形成することにより、高さ調整をしても回動操作片より上部に突出するボルト長が常に一定となるため、支持物の取り付けが簡易に行うことができる。
【００１３】
また、アジャスターパッドを、カップ形とし、内部に挿通するにアジャスターボルトの底面と床面との空間長を、アジャスターボルトの回動操作片上に突出するボルト上端長よりも大となるように構成することにより、アジャスターボルトの上端部を上下動させることができるので簡単にアジャスターパッドより上部に突出するアジャスターボルトの長さを縮小させることができ、不具合の生じた高さ調整装置の交換を、レールなどの支持物を取り除くことなく迅速に行うことができる。
【００１４】
また、アジャスターボルトのアジャスターパッドに接する側に、アジャスターボルトによる支持物の支持高さを調整するための高さ調整用ナット及び固定用ナットをダブルナット状に螺合することにより、高さ調整が簡易に、迅速に、かつ確固に行うことができる。
【発明を実施するための最良の形態】
【００１５】
以下、本発明の高さ調整装置の実施の形態を、図面に基づいて説明する。
【実施例１】
【００１６】
図１〜図２に、本発明の高さ調整装置の一実施例を示す。
図１は、本発明の高さ調整装置Ａの右半を断面した正面図を示し、床面Ｆ上に配設するカップ形をしたアジャスターパッド１と、該アジャスターパッド内に下端部を抜け止め式で回動及び挿通可能としたアジャスターボルト２と、該アジャスターボルト２に螺合するダブルナット状の高さ調整用ナット３及び固定用ナット４とより構成する。
【００１７】
アジャスターパッド１は、深いカップ形をしており、かつ高さ調整装置Ａにかかる荷重を十分に支持できる強度を備え、頂片１０の中央部にアジャスターボルト２の下端部を挿入するためのボルト挿入孔１１を穿設するとともに、アジャスターパッド１内、特に頂片１０の下方部分を空洞とし、この空洞部１２の深さ（空間長）を、すなわち、アジャスターパッド１を床面Ｆ上に配設したとき、この床面Ｆとアジャスターパッド１内に挿通するアジャスターボルト２の下端面との空間長Ｌ１が、回動操作片２１とボルト上端までの長さ、すなわち、回動操作片上に突出するボルト上端長Ｌ２よりも大となるようにする。
【００１８】
アジャスターボルト２は、予め定めた所要の長さと径を有し、その下端部をアジャスターパッド１のボルト挿入孔１１内に挿入した後、該端部をかしめなどにて抜け止め片１３を形成し、かつ回動可能に係止してアジャスターパッド１と組み合わせるとともに、このアジャスターボルト２の上部位置に支持物、これは特に限定されるものではないが、例えば、走行レールＲ等を支持し、かつ回動操作用の回動操作片２１をアジャスターボルト２と一体に形成する。
なお、走行レールＲを支持する場合は、図２に示すように、高さ調整装置Ａの上端に固定したレール取付台Ｂを介して走行レールＲを取り付けるようにする。
この回動操作片２１は、特に限定されるものではないが、例えば、六角ボルトの頭部形状、その他の多角形をし、外部からスパナ等の手動工具を掛けられるように形成し、これにて簡易に回動させることができるようにする。
なお、この回動操作片２１を形成する位置は、回動操作片頂面とアジャスターボルト上端までの長さＬ２が、アジャスターパッド内に挿通するアジャスターボルト２の下端面と床面Ｆまでの空間長Ｌ１よりも小となるようにして設定する。これにより、アジャスターパッド内にアジャスターボルト内に引っ込めてアジャスターパッドより突出するアジャスターボルトの全長を短くすることができるようにする。
【００１９】
また、アジャスターボルト２には、アジャスターパッド１の頂片１０の上面と接するようにして高さ調整用ナット３と固定用ナット４とをダブルナット状に螺合し、これによりアジャスターパッド頂面より突出するアジャスターボルト２の長さ、より詳しくは床面Ｆより回動操作片２１の頂面までの長さＬ３を調整して、回動操作片２１にて支持する走行レールＲなどの支持物の支持高さを調整するようにする。
【００２０】
この高さ調整装置は、走行レールＲ等の支持物を新規に敷設配設する場合は、従来と同じようにして支持物側に形成した支持孔内にアジャスターボルト２の頂端部を嵌合或いは挿入するようにして配設する。この場合、ダブルナット状の２つのナット、すなわち、高さ調整用ナット３と固定用ナット４を弛めておくものとする。そして、高さ調整はダブルナット状の高さ調整用ナット３を回動させ、床面Ｆより回動操作片２１の頂面までの長さＬ３を調整して行う。所定の高さ調整が完了するとこの高さ調整用ナット３に強く接するよう固定用ナット４を締め付けて高さ調整用ナット３を固定して高さ調整装置Ａの取り付けを行う。
【００２１】
ところで、長期間に亘って使用するにおいて、高さ調整装置Ａにかかる過負荷により高さ調整装置が破損したり、或いは腐食したりすることがある。このような不具合が生じると高さ調整装置にかかる荷重を適正に支持できなくなる。
従って、このように破損或いは腐食などにより不具合が生じた場合、この破損或いは腐食した高さ調整装置を新しいものと取り替える必要がある。
この不具合の生じた高さ調整装置の交換は、走行レールＲ等の支持物はそのままにした状態で、まず固定用ナット４を、次いで高さ調整用ナット３を弛める。これはアジャスターボルト２に固定した回動操作片２１と、固定用ナット４或いは高さ調整用ナット３にそれぞれスパナ等の工具を掛けて固定用ナット４或いは高さ調整用ナット３を回動させることにより簡易に行える。
【００２２】
この高さ調整用ナット３を弛めるよう回動させることで、アジャスターボルト２の下端部がアジャスターパッド１内の空洞部１２に挿入されるようになって、アジャスターパッド頂面より突出しているアジャスターボルト２の長さが短くなる。これは床面Ｆより回動操作片２１の頂面までの長さＬ３が短くなる。この場合、アジャスターボルト２の下端部がアジャスターパッド１内の空洞部１２に挿入されるが、実質的にはアジャスターボルト２の回動操作片２１より上部に突出している長さＬ２の部分が、空洞部１２内の空間長Ｌ１にて吸収されるようになり、アジャスターボルト２の上端部が支持物の支持孔より完全に抜出るようになる。
【００２３】
この状態では、この不具合の生じた高さ調整装置による走行レールＲの支持は完全に解除され、支持物の下面側の空間を経て不具合の生じた高さ調整装置を取り出すことが可能となる。このようにして破損或いは腐食などによる不具合の生じた高さ調整装置を取り外し、同様にアジャスターボルト２の下端部をアジャスターパッド１内の空洞部１２に挿入してアジャスターパッド１より突出ボルト長を短くした新しい高さ調整装置を取り外した先の不具合の生じた高さ調整装置の位置に配設した後、高さ調整用ナット３の回動にて高さを調整し、次いで固定用ナット４を締め付け固定することで高さ調整装置Ａの交換が完了する。
【００２４】
なお、上記実施例は走行レールの取り付けについて説明したが、本発明の高さ調整装置を自動倉庫の棚や自動販売機など（いずれも図示省略）の設置に用いる場合は、アジャスターボルト２の回動操作片２１より上部のボルト部を、棚や自動販売機などの下部に配設した取付フレーム（図示省略）の取付孔に挿通した後、この上部ボルト部に固定用のナットを螺合して取付フレームを上下より固定用のナット、回動操作片２１にて挟持するようにする。この場合の高さ調整装置Ａの交換も走行レールＲと同じようにして行うものである。
【００２５】
以上、本発明の高さ調整装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の高さ調整装置は、床面上に配設するアジャスターパッドに、抜け止め式回転可能に挿通するアジャスターボルト、特にアジャスターパッドより上方に突出するアジャスターボルトの全長を縮小させることでアジャスターボルト頭部の高さ位置を下げることができるので、不具合の生じた高さ調整装置のみの取り外し、交換可能という特性を有していることから、スタッカークレーンの走行レール敷設の用途に好適に用いることができるほか、例えば、自動倉庫の棚や自動販売機の据え付け等の用途にも用いることができる。
【図面の簡単な説明】
【００２７】
【図１】本発明の高さ調整装置の一実施例を示し、右半を破断した正面図である。
【図２】走行レールの取付状態を示す説明図である。
【図３】従来の高さ調整装置を示し、右半を破断した正面図である。
【符号の説明】
【００２８】
１    アジャスターパッド
１０  頂片
１１  ボルト挿入孔
１２  空洞部
１３  抜け止め片
２    アジャスターボルト
２１  回動操作片
３    高さ調整用ナット
４    固定用ナット
Ａ    高さ調整装置
Ｌ１  アジャスターパッド空洞部内の空間長
Ｌ２  アジャスターボルトの回動操作片より上部に突出している長さ
Ｌ３  床面より回動操作片の頂面までの長さ
Ｒ    走行レール
【図１】
2008069513.tif 000003
【図２】
2008069513.tif 000004
【図３】
2008069513.tif 000005